(57)【要約】【課題】本発明は、モバイルネットワークの静的セル識別子または静的ロケーションエリアコードをマスキングする方法に関する。【解決手段】前記方法は、モバイル端末（１）に関して、検討中のネットワークのアーキテクチャに属する装置において統合されるマスキングモジュール（１１）の手段により、静的セル識別子または静的ロケーションエリアコードから、動的セル識別子または動的ロケーションエリアコードの全てまたは一部を生成するステップ（１００）を具備することによって、オペレーターによって認証されたサービス以外の外部サービスに対して地理的変換を不可能にする。さらに、本発明は、静的識別子もしくはコードの全てまたは一部をマスキングする他のマスキングモジュール（２１）のいずれかを具備し、静的識別子またはコードをマスキングするマスキング装置（１１）を提供する。【選択図】図１
2009188991.tif 000002
【特許請求の範囲】
【請求項１】
モバイルネットワークの静的セル識別子（セルＩＤ）または静的ロケーションエリアコード（ＬＡＣもしくはＲＡＣ）をマスキングする方法において、
前記方法は、モバイル端末（１）に関して、検討中のネットワークのアーキテクチャに属する装置において統合されるマスキングモジュール（１１，２１）によって、静的セル識別子（セルＩＤ）から、または静的ロケーションエリアコード（ＬＡＣもしくはＲＡＣ）から、動的セル識別子（セルＩＤ＿ｄ）または動的ロケーションエリアコード（ＬＡＣ＿ｄもしくはＲＡＣ＿ｄ）の全てまたは一部を生成するステップ（１００，２００）を具備し、
前記方法は、さらに、
・シグナリングチャネルにおいて、モバイル端末（１）によってネットワークを通してマスキングモジュール（１１）に送られる、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成するステップ（１０１）、
または、
・前記マスキングモジュール（２１）によって、検討中のネットワークの他の装置と、オペレーター情報システム（９）とを全体的もしくは部分的にアップデートするステップ（２０１）
のいずれか一方を具備し、
前記生成ステップ（１００，２００）は、部外者、またはオペレーターによって認証されたサービス以外のサービスにより地理的座標に解読されることを不確実または不可能にし、
前記生成ステップ（１０１）は、前記マスキングモジュール（１１）によって、検討中のネットワークの他の装置に対して意図される、静的セル識別子（セルＩＤ）または静的ロケーションエリアコード（ＬＡＣもしくはＲＡＣ）の変換を確実にすることを特徴とするマスキング方法。
【請求項２】
前記方法は、オペレータープラットフォームまたはグローバルポジショニングサービス（１０）に対するパートナープラットフォームに近い、検討中のネットワークの装置の他のアイテムにおいて統合される逆生成モジュール（１２，２２）によって、モバイル端末（１）によってネットワークを通して逆生成モジュール（１２，２２）に送られる、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成するステップ（１０２，２０２）を具備し、
前記生成ステップ（１０２，２０２）は、地理的変換後に、オペレーターによって認証されたサービスが、モバイル端末（１）の位置推定を可能にする逆生成モジュール（１２，２２）の結果にアクセスすることができるようにすることを特徴とする請求項１に記載のマスキング方法。
【請求項３】
請求項１または２に記載のマスキング方法の実施を可能にし、静的セル識別子（セルＩＤ）または静的ロケーションエリアコード（ＬＡＣもしくはＲＡＣ）をマスキングするマスキング装置（１１）において、
前記マスキング装置（１１）は、
・ＧＳＭもしくはＧＰＲＳタイプのネットワークに対してはＢＳＣコントローラ（３）において、またはＵＭＴＳタイプのネットワークに対してはＲＮＣコントローラ（７）において統合される、静的セル識別子（セルＩＤ）または静的ロケーションエリアコード（ＬＡＣもしくはＲＡＣ）を全てまたは一部をマスキングするマスキングモジュール（１１）、
または、
・オペレータープラットフォームまたはグローバルポジショニングサービス（１０）に対するパートナープラットフォームに近い、検討中のネットワークの装置のアイテムにおいて統合される、静的セル識別子（セルＩＤ）または静的ロケーションエリアコード（ＬＡＣもしくはＲＡＣ）をマスキングする他のマスキングモジュール（２１）
のいずれか一方を具備することを特徴とするマスキング装置。
【請求項４】
前記マスキングモジュール（１１）は、モバイル端末（１）に関して、静的セル識別子（セルＩＤ）または静的ロケーションエリアコード（ＬＡＣもしくはＲＡＣ）から、動的セル識別子（セルＩＤ＿ｄ）または動的ロケーションエリアコード（ＬＡＣ＿ｄもしくはＲＡＣ＿ｄ）を生成する（１００）とともに、検討中のネットワークのＢＳＣ（３）またはＲＮＣ（７）において、モバイル端末（１）によってＢＳＣ（３）またはＲＮＣ（７）に関連するＢＴＳ（２）を通して送られる、動的セル識別子（セルＩＤ＿ｄ）または動的ロケーションエリアコード（ＬＡＣ＿ｄもしくはＲＡＣ＿ｄ）を、検討中のネットワークにおける他の装置に関して、シグナリングチャネルにおいて、静的セル識別子（セルＩＤ）または静的ロケーションエリアコード（ＬＡＣもしくはＲＡＣ）に置き換える（１０１）ように意図されることを特徴とする請求項３に記載のマスキング装置。
【請求項５】
前記マスキングモジュール（１１）は、１つまたは複数の秘密鍵を適用する可逆メカニズムに基づいたアルゴリズム手段を具備し、前記動的セル識別子（セルＩＤ＿ｄ）または動的ロケーションエリアコード（ＬＡＣ＿ｄもしくはＲＡＣ＿ｄ）の生成（１００）と、動的セル識別子（セルＩＤ＿ｄ）または動的ロケーションエリアコード（ＬＡＣ＿ｄもしくはＲＡＣ＿ｄ）と、静的セル識別子（セルＩＤ）または静的ロケーションエリアコード（ＬＡＣもしくはＲＡＣ）との間のトランスコーディング（１０１）とを確実にすることを特徴とする請求項３または４に記載のマスキング装置。
【請求項６】
前記マスキングモジュール（１１）は、オペレーションおよびメンテナンスセンタ（ＯＭＣ）（８）、もしくはオペレーター情報システム（９）において統合される、または検討中のネットワークのオペレータープラットフォームもしくはグローバルポジショニングサービス（１０）に対するパートナープラットフォームにデポートされる、逆生成モジュール（１２）に関連し、データチャネルにおいて、モバイル端末（１）によって検討中のネットワークを通して逆生成モジュール（１２）に送られる、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成（１０２）し、地理的座標への解読を許可するとともに、モバイル端末（１）の位置を探索することを特徴とする請求項３から５のいずれか１項に記載のマスキング装置。
【請求項７】
前記逆生成モジュール（１２）は、マスキングモジュール（１１）のアルゴリズム手段と同様だが逆のアルゴリズム手段を具備することを特徴とする請求項６に記載のマスキング装置。
【請求項８】
他のマスキングモジュール（２１）は、モバイル端末（１）、および検討中のネットワークの他の装置、特にオペレータープラットフォームまたはグローバルポジショニングサービス（１０）に対するパートナープラットフォームに関して、特にオペレーター情報システムに対して静的セル識別子（セルＩＤ）または静的ロケーションエリアコード（ＬＡＣもしくはＲＡＣ）から、動的セル識別子（セルＩＤ＿ｄ）または動的ロケーションエリアコード（ＬＡＣ＿ｄもしくはＲＡＣ＿ｄ）を生成することによって、地理的座標への解読を不確実さらに言えば不可能にし、
前記他のマスキングモジュール（２１）は、さらに検討中のネットワークおよびオペレーター情報システム（９）の前記他の装置を、全体的または部分的にアップデートするように意図されることを特徴とする請求項３に記載のマスキング装置。
【請求項９】
前記他のマスキングモジュール（２１）は、非予測的、または１つもしくは複数の秘密鍵を適用するメカニズムに基づいたアルゴリズム手段を具備し、前記動的セル識別子（セルＩＤ＿ｄ）または動的ロケーションエリアコード（ＬＡＣ＿ｄもしくはＲＡＣ＿ｄ）を生成する（２００）ことを特徴とする請求項８に記載のマスキング装置。
【請求項１０】
前記マスキングモジュール（１１）は、逆生成モジュール（２２）に関連し、
前記逆生成モジュール（２２）は、特にオペレーター情報システム（９）に対して、モバイル端末（１）によって前記ネットワークを通して逆生成モジュール（２２）に送られる、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成し（２０２）、特にオペレーター情報システム（９）に対して静的セル識別子（セルＩＤ）または静的ロケーションエリアコード（ＬＡＣもしくはＲＡＣ）の間の同期的またはオンザフライ計算を確実にすることを特徴とする請求項８または９に記載のマスキング装置。
【請求項１１】
前記逆生成モジュール（２２）は、他のマスキングモジュール（２１）のアルゴリズム手段と同様だが逆のアルゴリズム手段を具備することを特徴とする請求項１０に記載のマスキング装置。
【発明の詳細な説明】
【技術分野】
【０００１】
本発明は、電気通信分野に関し、特にグローバルポジショニングに関する。本発明は、モバイル端末に関してモバイルネットワークのセル識別子またはロケーションエリアコードをマスキングする方法を提供する。
【背景技術】
【０００２】
消費者の潜在的ニーズに適うように、新しい電気通信サービスは、定期的に開始される。最近のものの１つは、ユーザの地理的位置に関する情報提供を可能にするグローバルポジショニングである。グローバルポジショニングは、互いに遠く離れたエリアにおいて多数の用途を有している。ユーザは、グローバルポジショニングを利用して、最も近い映画館またはレストランの位置を探索したり、訪れている場所に関する観光情報を得たりすることができる。心配性の親は、いつでも子供の居場所を探索することができる。ビジネスユーザは、交通手段の位置を探索したり、従業員および配達物を追跡したりすることができるとともに、起こり得る問題に気づくことができる。警察当局にとって、グローバルポジショニングは、誘拐されている人物についての情報を入手すること、または容疑者の行動を監視することにおいて、絶大な助けとなる。
【０００３】
しかし、グローバルポジショニングは、多数の悪用を生じさせるとともに、ユーザの私生活に対して不利益となり得る。“セルＩＤ”とも呼ばれる無線周波数セルのタイプ識別の情報、またはロケーションエリアコード（ＬＡＣ：Location Area Code）もしくはルーティングエリアコード（ＲＡＣ：Routing Area Code）への依存は、現時点において、何らかの行動をとることが可能なユーザの位置を探索するのに、それらの情報もオペレーターも無しで使用される。
【０００４】
現時点において、セルＩＤおよび／またはロケーションエリアコード（ＬＡＣまたはＲＡＣ）は、基地局コントローラ（ＢＳＣ：Base Station Controller）または無線ネットワークコントローラ（ＲＮＣ：Radio Network Controller）の全てのセルに関して“静的”であるとともに、これらの識別子またはコードを収集することによって、加入者またはユーザの位置を知ることが可能である。
【０００５】
ユーザまたは加入者の私生活保護に対する法的義務に適うように、部外者がセルＩＤまたはロケーションエリアコードに基づいてロケーティングソリューションを展開する（deploy）ことを防ぐことができるメカニズムを適用することが必要である。
【発明の概要】
【発明が解決しようとする課題】
【０００６】
本発明の目的は、先行技術の１つまたは複数の欠点を解消することであるとともに、前記モバイル端末ユーザの私生活保護を確実にするために、モバイル端末に関してモバイルネットワークのセル識別子またはロケーションエリアコードをマスキングする方法を提案することである。
【課題を解決するための手段】
【０００７】
この目的を実現するために、モバイルネットワークの静的セル識別子または静的ロケーションエリアコードをマスキングする方法は、モバイル端末に関して、検討中のネットワークのアーキテクチャに属する装置において統合されるマスキングモジュールによって、静的セル識別子から、または静的ロケーションエリアコードから、動的セル識別子または動的ロケーションエリアコードの全てまたは一部を生成するステップとを具備し、
前記方法は、さらに、
シグナリングチャネルにおいて、モバイル端末によってネットワークを通してマスキングモジュールに送られる、動的セル識別子または動的ロケーションエリアコードから、静的セル識別子または静的ロケーションエリアコードを生成することによって、部外者、またはオペレーターによって認証されたサービス以外のサービスにより地理的座標に変換されることを不確実または不可能にするステップと、
または、
・前記マスキングモジュールによって、検討中のネットワークの他の装置と、オペレーター情報システムとを全体的もしくは部分的にアップデートすることによって、前記マスキングモジュールによって、検討中のネットワークの他の装置に対して指向される、静的セル識別子または静的ロケーションエリアコードの変換を確実にするステップ
のいずれか一方を具備することを特徴とする。
【０００８】
他の特徴によると、前記マスキング方法は、オペレータープラットフォームまたはグローバルポジショニングサービスに対するパートナープラットフォームに近い、検討中のネットワークの装置の他のアイテムにおいて統合される逆生成モジュールによって、モバイル端末によってネットワークを通して逆生成モジュールに送られる、動的セル識別子または動的ロケーションエリアコードから、静的セル識別子または静的ロケーションエリアコードを生成するステップを具備し、
前記生成ステップは、地理的変換後に、オペレーターによって認証されたサービスが、モバイル端末の位置を推定する逆生成モジュールの結果にアクセスを可能にすることを特徴とする。
【０００９】
さらなる目的は、前記マスキング方法の実施を可能にし、静的セル識別子または静的ロケーションエリアコードをマスキングする装置を提案することによって実現され、
前記マスキング装置は、
・ＧＳＭもしくはＧＰＲＳタイプのネットワークに対してはＢＳＣコントローラ（基地局コントローラ）において、またはＵＭＴＳタイプのネットワークに対してはＲＮＣコントローラ（無線ネットワークコントローラ）において統合される、静的セル識別子または静的ロケーションエリアコードをマスキングするマスキングモジュール、
または、
・オペレータープラットフォームまたはグローバルポジショニングサービスに対するプラットフォームに近い、検討中のネットワークの装置のアイテムにおいて統合される、静的セル識別子または静的ロケーションエリアコードの全てまたは一部をマスキングする他のマスキングモジュール
のいずれか一方を具備することを特徴とする。
【００１０】
別の特徴によると、前記マスキングモジュールは、モバイル端末に関して、静的セル識別子または静的ロケーションエリアコードから、動的セル識別子または動的ロケーションエリアコードを生成するとともに、さらに検討中のネットワークのＢＳＣまたはＲＮＣにおいて、モバイル端末によってＢＳＣまたはＲＮＣに関連するＢＴＳを通して送られる、動的セル識別子または動的ロケーションエリアコードを、検討中のネットワークにおける他の装置に関して、シグナリングチャネルにおいて、静的セル識別子または静的ロケーションエリアコードに置き換えることが意図される。
【００１１】
別の特徴によると、前記マスキングモジュールは、１つまたは複数の秘密鍵を適用する可逆メカニズムに基づいたアルゴリズム手段を具備し、前記動的セル識別子または動的ロケーションエリアコードの生成と、動的セル識別子または動的ロケーションエリアコードと、静的セル識別子または静的ロケーションエリアコードとの間のトランスコーディングとを確実にする。
【００１２】
別の態様によると、前記マスキングモジュールは、オペレーションおよびメンテナンスセンタ（ＯＭＣ）において、もしくはオペレーターの情報システムにおいて統合される、または検討中のネットワークのオペレーターのプラットフォームもしくはグローバルポジショニングサービスに対するパートナープラットフォームにデポートされる、逆生成モジュールに関連し、データチャネルにおいて、モバイル端末によって検討中のネットワークを通して逆生成モジュールに送られる、動的セル識別子または動的ロケーションエリアコードから、静的セル識別子または静的ロケーションエリアコードを生成し、地理的座標への解読を許可するとともに、モバイル端末の位置を探索する。
【００１３】
別の特徴によると、前記逆生成モジュールは、マスキングモジュールのアルゴリズム手段と同様だが逆であるアルゴリズム手段を具備する。
【００１４】
別の特徴によると、他のマスキングモジュールは、モバイル端末、および検討中のネットワークの他の装置、特にオペレータープラットフォームまたはグローバルポジショニングサービスに対するパートナープラットフォームに関連して、特にオペレーター情報システムに対して静的セル識別子または静的ロケーションエリアコードから、動的セル識別子または動的ロケーションエリアコードを生成するように意図されることによって、地理的座標への変換を不確実さらに言えば不可能にするとともに、さらに検討中のネットワークおよびオペレーター情報システムの前記他の装置を、全体的または部分的にアップデートするように意図されている。
【００１５】
別の特徴によると、前記他のマスキングモジュールは、非予測的、または１つもしくは複数の秘密鍵を適用するメカニズムに基づいたアルゴリズム手段を具備し、前記動的セル識別子または動的ロケーションエリアコードを生成する。
【００１６】
別の特徴によると、前記マスキングモジュールは、逆生成モジュールに関連し、前記逆生成モジュールは、特にオペレーター情報システムに対して、モバイル端末によって前記ネットワークを通して逆生成モジュールに送られる、動的セル識別子または動的ロケーションエリアコードから、静的セル識別子（セルＩＤ）または静的ロケーションエリアコードを生成し、特にオペレーター情報システムに対して静的セル識別子または静的ロケーションエリアコードの間の同期的またはオンザフライ計算を確実にすることを特徴とする。
【００１７】
別の特徴によれば、前記逆生成モジュールは、他のマスキングモジュールのアルゴリズム手段と同様だが逆のアルゴリズム手段を具備する。
【００１８】
非限定的な実施例として与えられる添付図面の参照とともに、以下に与えられる発明の詳細な説明の記載を通して、本発明はより理解されるとともに、他の目的、特徴、詳細、および利点が、明らかになる。
【図面の簡単な説明】
【００１９】
【図１】モバイル端末に関して、ＧＳＭタイプのモバイルネットワークにおいてセル識別子をマスキングする方法の第１実施形態を示す図である。
【図２】検討中のネットワークの他の装置に関して、ＧＳＭタイプのモバイルネットワークにおいてセル識別子をマスキングする方法の第２実施形態を示す図である。
【発明を実施するための形態】
【００２０】
本発明は、モバイルネットワークのアーキテクチャに属する装置において、セル識別子（セルＩＤ）またはロケーションエリアコード（ＬＡＣもしくはＲＡＣ）をマスキングするために、マスキングモジュールを統合するステップを具備している。本発明は、様々な携帯電話技術、特に“ＧＳＭ”（Group Special Mobile：グループスペシャルモバイル）技術、“ＧＰＲＳ”（General Packet Radio Service：ジェネラルパケット無線サービス）技術、および“ＵＭＴＳ”（Universal Mobile Telecommunications System：ユニバーサルモバイル通信システム）”技術に適合するように構成されている。
【００２１】
本発明について説明する前に、これら様々な技術（ＧＳＭ、ＧＰＲＳ、ＵＭＴＳ）を使用して、モバイル端末１をネットワークに接続可能にするアーキテクチャをはじめに確認する（これらの様々なアーキテクチャは、当業者にすでに知られている）。
【００２２】
ＧＳＭにおいて、アーキテクチャは、モバイル端末１との無線リンクを担当する基地局（ＢＴＳ：Base Transceiver Station）２を具備している。ＢＴＳ２は、基地局コントローラ（ＢＳＣ：Base Station Controller）３と呼ばれる制御局とインターフェースするエレメントと、送受信器と、アンテナとを本質的に具備し、セル１０として知られるものを形成する。ＢＴＳ２は、無線周波数チャネルをアクティブおよび非アクティブにして、送信されるコンテンツをデジタル化し、無線周波数信号をエンコード／デコードし、変調／復調し、無線リンクを制御し、受信のレベルおよび品質を監視するとともに、送信電力を制御する。
【００２３】
前記ロケーションエリアは、セル１０のグループであることを留意されたい。
【００２４】
前記基地局コントローラ３は、１つまたは複数のＢＴＳ２に命令することができるとともに、モバイルスイッチングセンタ（ＭＳＣ：Mobile Switching centre）４にリンクされる。ＢＳＣ３は、モバイル端末１に対するチャネルのアクティブ化／非アクティブ化と、ＢＴＳ２およびモバイル端末１の送信電力とに関して決定を行い、“ハンドオーバー（handover）”と呼ばれるセルの切り替えを管理するとともに、ＢＴＳ２からのデータフローに集中する。
【００２５】
前記モバイルスイッチングセンタ（ＭＳＣ）４は、ネットワーク内で、他のネットワークとの相互接続をルーティングすることと、呼を調整することとを担当している。ＭＳＣ４は、幾つかのＢＳＣ３を担当するとともに、ＢＳＣ３からのデータフローに集中する。それに加えて、各ＭＳＣ４は、ＭＳＣ４が扱う領域における全加入者に対して、それらのプロファイルおよびロケーションエリアを含む、ＶＬＲ（Visitor Location Register：ビジターロケーションレジスタ）と呼ばれるデータベースに関連する。ＨＬＲ（Home Location Registerホームロケーションレジスタ）と呼ばれる他のデータベースは、ＭＳＣ４とリンクされるとともに、ネットワーク加入者のプロファイルと、大まかな位置とを有している。
【００２６】
ＧＰＲＳにおいて、アーキテクチャは、前記モバイル端末１との無線リンクと、１つまたは複数の基地局（ＢＴＳ）２を命令することができるとともに、ＧＰＲＳタイプのモバイルネットワークにおいてデータのルーティングを可能にするゲートウェイであるサービングＧＰＲＳサポートノード（ＳＧＳＮ：Serving GPRS Support Node）にリンクされるＢＳＣ３とを担当するＢＴＳ２を具備している。
【００２７】
前記ＳＧＳＮ５は、他のゲートウェイ、発呼に対するゲートウェイＧＰＲＳサポートノード（ＧＧＳＮ）６を介し、被呼に対するモバイル端末１に対して、外部パケットネットワークとのインターフェースを管理する。それに加えて、ＳＧＳＮ５は、加入者識別子と、利用されるサービスに関する情報とを保持するとともに、モバイル端末１の位置を制御する。
【００２８】
ＵＭＴＳにおいて、無線ネットワークコントローラ（ＲＮＣ：Radio Network Controller）７は、ＵＭＴＳにおいてＮｏｄｅ−Ｂ２と呼ばれるＢＴＳ２を制御することを意図している。ＲＮＣ７は、無線リソースの分配と、モバイル端末１に送られる前のデータのデジタル化と、加入者またはユーザの位置探索の一部とを管理することができる。ＲＮＣ７は、それ自身がＧＧＳＮ６にリンクされる、ＳＧＳＮ５にリンクされる。
【００２９】
これらの前記ネットワーク（ＧＳＭ、ＧＰＲＳ、ＵＭＴＳ）は、チャネルを使用して、バイナリまたはアナログデータを送信し、各チャネルは、電磁波が変調される特定の周波数に対応する。データチャネルと、シグナリングチャネル（たとえば、非限定的方法において、セル１０のデータ特性の分配を可能にするブロードキャストコントロールチャネル（ＢＣＣＨ：Broadcast Control Channel））との間が区別される。
【００３０】
オペレーションおよびメンテナンスセンタ／スイッチ（ＯＭＣ／Ｓ：Operation and Maintenance Center/Switch）、またはオペレーションおよびメンテナンスセンタ／ラジオ（ＯＭＣ／Ｒ：Operation and Maintenance Center/Radio）は、“ＧＳＭ”もしくは“ＧＰＲＳ”タイプの技術において前記ＢＴＳ２に、または“ＵＭＴＳ”タイプの技術においてＲＮＣ７にリンクされる。このオペレーションおよびメンテナンスセンタ（ＯＭＣ）８は、ネットワーク装置を局所的に監視するコンピュータセンタである。たとえば、幾つかのＯＭＣ８は、様々なロケーションエリアにおいて、ＢＳＣ３またはＲＮＣ７のグループと、ＢＴＳ２のグループとを監視するとともに、他のＯＭＣ８は、ＭＳＣ４およびＶＬＲを監視する。
【００３１】
前記オペレーションおよびメンテナンスセンタ（ＯＭＣ）８は、テキスト、画像、音声、または符号化されたデータ形式で、データを記録し、構成するとともに、通信することを可能にする、オペレーター情報システム９にリンクされる。オペレーター情報システム９は、オペレータープラットフォーム（operator’s platform）、またはグローバルポジショニングサービス１０に対するパートナープラットフォーム（partner platform）にリンクされる。
【００３２】
図１に示した第１実施形態において、セルＩＤまたはロケーションエリアコード（ＬＡＣもしくはＲＡＣ）をマスキングするマスキングモジュール１１は、ＧＳＭおよびＧＰＲＳにおいてＢＳＣ３内に、ならびにＵＭＴＳにおいてＲＮＣ７内に、統合される。このマスキングモジュール１１は、はじめに、モバイル端末１に関して、静的セル識別子（セルＩＤ）または静的ロケーションエリアコード（ＬＡＣまたはＲＡＣ）から、動的セル識別子（セルＩＤ＿ｄ）または動的ロケーションエリアコード（ＬＡＣ＿ｄもしくはＲＡＣ＿ｄ）、すなわち時間における変数を生成する（１００）ように意図され、部外者またはオペレーターによって認証されたサービス以外のサービスによって、地理的座標に解読されるのを不可能にする。さらに、マスキングモジュール１１は、検討中のネットワークのＢＳＣ３またはＲＮＣ７において、無線を介してモバイル端末１によってＢＳＣ３またはＲＮＣ７に関連するＢＴＳ２に対して、その次に無線またはケーブルリンクを介して検討中のネットワークの他の装置に対して送られる、動的セル識別子（セルＩＤ＿ｄ）または動的ロケーションエリアコード（ＬＡＣ＿ｄもしくはＲＡＣ＿ｄ）を、シグナリングチャネルにおいて、静的セル識別子（セルＩＤ）または静的ロケーションエリアコード（ＬＡＣもしくはＲＡＣ）に置き換える（１０１）ことを意図することによって、たとえば、ＭＳＣ４、ＨＬＲなどの、検討中のネットワークの他の装置に対する静的セル識別子（セルＩＤ）または静的ロケーションエリアコード（ＬＡＣもしくはＲＡＣ）の変換を確実にする。この動的セル識別子（セルＩＤ＿ｄ）または動的ロケーションエリアコード（ＬＡＣ＿ｄもしくはＲＡＣ＿ｄ）と、静的セル識別子（セルＩＤ）または静的ロケーションエリアコード（ＬＡＣ＿ｄもしくはＲＡＣ＿ｄ）との間のトランスコーディング１００，１０１は、マスキングモジュール１１が有するアルゴリズム手段を用いて実現される。したがって、動的セル識別子（セルＩＤ＿ｄ）または動的ロケーションエリアコード（ＬＡＣ＿ｄもしくはＲＡＣ＿ｄ）のみが、無線（ＯＴＡ：over the air）で受信される。
【００３３】
前記アルゴリズム手段は、先行技術に適合するとともに、オペレーターによって認証されたネットワーク装置に対して既知である１つまたは複数の秘密鍵（secret）を適用する可逆メカニズムに基づいている。
【００３４】
第１実施形態の１つの実施例において、前記動的セル識別子（セルＩＤ＿ｄ）または動的ロケーションエリアコード（ＬＡＣ＿ｄもしはＲＡＣ＿ｄ）は、マスキングモジュール１１によって毎日生成される（１００）。この毎日の生成１００は、時間基準（この実施例では、日（day））として使用される日付またはタイムスタンプに関連するとともに、基準時間から経過した秒数、ならびに／または既知の増分および／もしくは秘密鍵を表現する。
【００３５】
好ましくは、前記ＢＳＣ３またはＲＮＣ７は、プロキシ、すなわちその機能がモバイル端末１とＢＴＳ２との間の要求を中継するコンピュータサーバと、検討中のネットワークの他の装置と、として動作する。
【００３６】
本発明によれば、前記セル１０またはロケーションエリアは、ＲＮＣ７のＢＳＣ３に関して、２つのセル識別子または２つのロケーションエリアコードをそれぞれ有している。第１セル識別子（セルＩＤ）またはロケーションエリアコード（ＬＡＣもしくはＲＡＣ）は、固有であり、かつコアネットワークに対して静的であるとともに、第２セル識別子（セルＩＤ＿ｄ）またはロケーションエリアコード（ＬＡＣ＿ｄもしくはＲＡＣ＿ｄ）は、モバイル端末１とのダイアログに対して動的である。
【００３７】
それに加えて、前記マスキングモジュール１１に関連する逆生成モジュール１２は、ＯＭＣ８もしくはオペレーター情報システムに統合される、または検討中のネットワークのオペレータープラットフォームもしくはグローバルポジショニング１０に対するパートナープラットフォームに関してデポート（deport）される。この逆生成モジュール１２は、データチャネルにおいて、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成する（１０２）ことを意図し、モバイル端末１によって検討中のネットワークを通して送られ、地理的座標への解読を許可する。
【００３８】
好ましくは、前記検討中のネットワークのオペレーターによって認証された、ＯＭＣ８、オペレーター情報システム９、オペレータープラットフォーム、グローバルポジショニングプラットフォーム１０が、“ＧＳＭ”もしくは“ＧＰＲＳ”のトポロジー、またはさらに言えば“ＵＭＴＳ”ネットワークに関して、静的セル識別子（セルＩＤ）または静的ロケーションエリアコード（ＬＡＣもしくはＲＡＣ）を地理的に変換した場合、オペレーターはモバイル端末１のおおよその位置を知ることができ、それによってユーザまたは加入者の位置を探索することができる。マスキングモジュール１１のアルゴリズム手段と同様だが逆であり、かつ先行技術に適合するアルゴリム手段は、さらにこの逆生成モジュール１２内に与えられる。
【００３９】
図２に示した第2実施形態において、無線セル識別子（セルＩＤ）もしくはロケーションエリアコード（ＬＡＣもしくはＲＡＣ）の全てまたは一部をマスキングする他のマスキングモジュール２１は、検討中のネットワークのアーキテクチャに属する装置のアイテムに統合されるとともに、オペレータープラットフォーム、またはグローバルポジショニングサービス１０に対するパートナープラットフォームに近い。例示した実施例において、この他のマスキングモジュール２１はＯＭＣ８に具備されている。この他のマスキングモジュール２１は、任意に非予測的の、または１つもしくは複数の秘密鍵を適用する先行技術に適合するメカニズムに基づいた、アルゴリズム手段を具備し、モバイル端末１と、検討中のネットワークの他の装置（ＭＳＣ４、ＢＳＣ３、ＨＬＲ、ＶＬＲなど）と、特に、オペレータープラットフォーム、またはグローバルポジショニングサービス１０に対するパートナープラットフォームとに関して、静的セル識別子（セルＩＤ）または静的ロケーションエリアコード（ＬＡＣもしくはＲＡＣ）から、特にオペレーター情報システム９に対して、動的無線セル識別子（セルＩＤ＿ｄ）または動的ロケーションエリアコード（ＬＡＣ＿ｄもしくはＲＡＣ＿ｄ）を生成する（２００）ことによって、地理的座標への変換は、不確実、またはさらに言えば不可能である。
【００４０】
それに加えて、例示した実施例において、前記ＯＭＣ８で統合されるこの他のマスキングモジュール２１は、さらに、検討中のネットワークの他の装置（ＭＳＣ４、ＢＳＣ３、ＨＬＲ、ＶＬＲなど）と、オペレーター情報システム９の他の装置とを全体的または部分的のいずれかでアップデートする（２０１）ことを意図している。
【００４１】
前記無線セル識別子（セルＩＤ）またはロケーションエリアコード（ＬＡＣもしくはＲＡＣ）に関する情報を統合する全てのネットワーク装置を同時に変更することが必要であることに留意されたい。そのようにして、他のマスキングモジュール２１と同様のモジュールは、限定するわけではないが、例えば各ＯＭＣにおいて、統合される。
【００４２】
前記オペレーター情報システム９、またはネットワーク装置のアイテムが、そのように要求する場合、特にオペレーター情報システム９に対して、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成する逆生成モジュール２２は、オペレーター情報システム９において統合されることによって、特にオペレーター情報システム９に対する、静的セル識別子（セルＩＤ）、または静的ロケーションエリアコード（ＬＡＣもしくはＲＡＣ）の間の、同期的またはオンザフライ（on-the-fly）計算を確実にする。他のマスキングモジュール２１のアルゴリズム手段と同様だが逆であり、かつ先行技術に適合するアルゴリズム手段は、さらにこの逆生成モジュール２２内に与えられる。
【００４３】
第２実施形態の実施例において、前記動的セル識別子（セルＩＤ＿ｄ）または動的ロケーションエリアコード（ＬＡＣ＿ｄもしくはＲＡＣ＿ｄ）は、他のマスキングモジュール２１によって頻繁に生成される（２００）。この頻繁な生成２００は、既知の増分、および／または秘密鍵に関係することができるため、オペレーターに関連する、無線ネットワークの装置、オペレータープラットフォーム、またはグローバルポジショニングサービス１０に対するパートナープラットフォームのアイテムによって、特にオペレーター情報システム９に対して、逆生成モジュール２２によって行われる、動的無線セル識別子（セルＩＤ＿ｄ）または動的ロケーションエリアコード（ＬＡＣ＿ｄもしくはＲＡＣ＿ｄ）からの静的セル識別子（セルＩＤ）または静的ロケーションエリアコード（ＬＡＣもしくはＲＡＣ）の簡易逆生成を確実にする。
【００４４】
上述の第１実施形態に従って、前記モバイル端末１に関するモバイルネットワークのセル識別子（セルＩＤ）、またはロケーションエリアコード（ＬＡＣもしくはＲＡＣ）をマスキングする方法を、以下に記載する。
【００４５】
前記静的セル識別子（セルＩＤ）、または静的ロケーションエリアコード（ＬＡＣもしくはＲＡＣ）をマスキングする方法は、
・検討中のネットワークにおいてデータトランジットをシグナリングしたらすぐに、モバイル端末１に関して、ＧＳＭもしくはＧＰＲＳネットワークに対してはＢＳＣ３、またはＵＭＴＳネットワークに対してはＲＮＣ７において統合されるマスキングモジュール１１によって、静的セル識別子（セルＩＤ）、または静的ロケーションエリアコード（ＬＡＣもしくはＲＡＣ）から、動的無線セル識別子（セルＩＤ＿ｄ）または動的ロケーションエリアコード（ＬＡＣ＿ｄもしくはＲＡＣ＿ｄ）を生成する生成ステップ１００と、
・シグナリングチャネルにおいて、前記マスキングモジュール１１によって、他の装置、すなわち、モバイル端末１、検討中のネットワークのＢＴＳ２、ＢＳＣ３、またはＲＮＣ７以外の装置に関して、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成する生成ステップ１０１とを具備し、
前記生成ステップ１００は、部外者、またはオペレーターによって認証されたサービス以外のサービスに対して、地理的座標に解読されるのを不可能にし、
前記生成ステップ１０１は、検討中のネットワークのこの他の装置に対して意図された、静的セル識別子（セルＩＤ）または静的ロケーションエリアコード（ＬＡＣまたはＲＡＣ）の変換を確実にする。
【００４６】
それに加えて、前記マスキング方法は、データチャネルにおいて、任意に生成ステップ１０２を具備し、ＯＭＣ８もしくはオペレーター情報システム９のいずれかで統合される、または検討中のネットワークのオペレータープラットフォームもしくはグローバルポジショニングサービス１０に対するパートナープラットフォームにデポートされる逆生成モジュール１２によって、モバイル端末１によってネットワークを通して送られる、動的セル識別子（セルＩＤ＿ｄ）または動的ロケーションエリアコード（ＬＡＣ＿ｄもしくはＲＡＣ＿ｄ）から、静的セル識別子（セルＩＤ）または静的ロケーションエリアコード（ＬＡＣもしくはＲＡＣ）を生成することによって、地理的変換後に、モバイル端末１の位置の推定を可能にする逆生成モジュール１２の結果にアクセスする。
【００４７】
上述の第２実施形態に従って、前記モバイル端末１に関するモバイルネットワークのセル識別子（セルＩＤ）、またはロケーションエリアコード（ＬＡＣもしくはＲＡＣ）をマスキングするための方法を、以下に記載する。
【００４８】
前記セル識別子（セルＩＤ）、またはロケーションエリアコード（ＬＡＣもしくはＲＡＣ）をマスキングする方法は、
・モバイル端末１と、検討中のネットワークの他の装置と、特に、マスキングモジュール２１が統合される装置以外のオペレータープラットフォーム、またはグローバルポジショニングサービス１０に対するパートナープラットフォームとに関して、オペレータープラットフォームまたはグローバルポジショニングサービス１０に対するパートナープラットフォームに近い、検討中のネットワークのアーキテクチャに属する装置のアイテムに統合される他のマスキングモジュール２１によって、特に検討中のネットワークのオペレーター情報システム９に対する、静的セル識別子（セルＩＤ）から、または静的ロケーションエリアコード（ＬＡＣもしくはＲＡＣ）から、動的セル識別子（セルＩＤ＿ｄ）または動的ロケーションエリアコード（ＬＡＣ＿ｄもしくはＲＡＣ＿ｄ）の全てまたは一部を生成する生成ステップ２００と、
・前記他のマスキングモジュール２１によって、検討中のネットワークの他の装置と、オペレーター情報システム９とを全体的または部分的にアップデートするアップデートステップ２０１と
を具備し、前記生成ステップ、部外者、またはオペレーターによって認証されたサービス以外のサービス対して、地理的座標に解読されるのを不確実または不可能にする。
【００４９】
それに加えて、前記マスキング方法は、オペレーター情報システム９において統合される逆生成モジュール２２によって、動的セル識別子（セルＩＤ＿ｄ）または動的ロケーションエリアコード（ＬＡＣ＿ｄもしくはＲＡＣ＿ｄ）から、特にオペレーター情報システム９に対して、静的セル識別子（セルＩＤ）または静的ロケーションエリアコード（ＬＡＣもしくはＲＡＣ）を生成する生成ステップ２０２を具備し、前記生成ステップ２０２は、特にオペレーター情報システム９に対する、静的セル識別子（セルＩＤ）、または静的ロケーションエリアコード（ＬＡＣもしくはＲＡＣ）の間の同期的またはオンザフライ計算を確実にする。好ましくは、オペレーターによって認証されたサービスは、地理的変換の後にモバイル端末１の位置の推定を可能にする逆生成モジュール２２の結果にアクセスすることができる。
【００５０】
本発明の利点の１つは、前記モバイル端末１に関するモバイルネットワークの、またはモバイル端末１および検討中のネットワークにおける他の装置のセル識別子（セルＩＤ）またはロケーションエリアコード（ＬＡＣもしくはＲＡＣ）をマスキングする方法が、ユーザまたは加入者の私生活保護を提供することである。
【００５１】
本発明は、たとえば、特許請求の範囲に記載されたような、本発明の適用範囲から逸脱することなく、多数の他の特定形式における実施形態を可能にすることは、当業者にとって自明である。したがって、上述の実施形態は、例示的なものであると解釈されるべきであり、添付の特許請求の範囲によって定義された範囲において変更されるとともに、本発明は、上述で与えられた発明の詳細に限定されない。
【符号の説明】
【００５２】
１  モバイル端末
２  ＢＴＳ
３  ＢＳＣ
７  ＲＮＣ
８  ＯＭＣ
９  オペレーター情報システム
１０  グローバルポジショニングサービス
１１，２１  マスキングモジュール
１２，２２  逆生成モジュール
１００，２００  動的セル識別子または動的ロケーションエリアコードから、動的セル識別子または動的ロケーションエリアコードを生成するステップ
１０１  動的セル識別子または動的ロケーションエリアコードを、シグナリングチャネルにおいて、静的セル識別子または静的ロケーションエリアコードに置き換えるステップ
２０１  検討中のネットワークの他の装置と、オペレーター情報システムとをアップデートするステップ
１０２，２０２  動的セル識別子または動的ロケーションエリアコードから、静的セル識別子または静的ロケーションエリアコードを生成するステップ
【図１】
2009188991.tif 000003
【図２】
2009188991.tif 000004
【外国語明細書】
2009188991.tif 000005
2009188991.tif 000006
2009188991.tif 000007
2009188991.tif 000008
2009188991.tif 000009
2009188991.tif 000010
2009188991.tif 000011
2009188991.tif 000012
2009188991.tif 000013
2009188991.tif 000014
2009188991.tif 000015
2009188991.tif 000016
2009188991.tif 000017
2009188991.tif 000018
2009188991.tif 000019
2009188991.tif 000020
2009188991.tif 000021
2009188991.tif 000022
2009188991.tif 000023
2009188991.tif 000024